(57)【要約】【課題】外装面材と下地面材とが一体に形成された二重壁に対して貫通孔を形成して十分な防水処理を施すことが可能な二重壁貫通孔の防水構造を提供する。【解決手段】外装面材４と外装面材４に併設される下地面材６との間に通気層８が形成された二重壁１に対して貫通孔２が形成されている。貫通孔２の内周面には、外装面材４の木口４ａと下地面材６の木口６ａとに接着された防水テープ１４が、内周に沿って貼り廻らされている。【選択図】  図１
2004339833.tif 000002
【特許請求の範囲】
【請求項１】
外装面材と該外装面材に併設される下地面材との間に通気層が形成された二重壁に対して貫通孔を形成し、
該貫通孔の内周面に、前記外装面材の木口と前記下地面材の木口とに接着された防水テープを内周に沿って貼り廻らせることを特徴とする二重壁貫通孔の防水構造。
【請求項２】
前記防水テープの接着面側に、前記通気層に嵌入される弾性防水部材が設けられることを特徴とする請求項１に記載の二重壁貫通孔の防水構造。
【請求項３】
前記弾性防水部材は、前記防水テープが前記内周面に沿って貼り廻らされたときに、前記通気層を臨む全ての前記接着面に設けられていることを特徴とする請求項２に記載の二重壁用貫通孔の防水構造。
【請求項４】
前記弾性防水部材の前記通気層を臨む面に対して、滴水を下方に導くための導通溝が形成されていることを特徴とする請求項２または請求項３に記載の二重壁貫通孔の防水構造。
【発明の詳細な説明】
【０００１】
【発明の属する技術分野】
本発明は、外装面材と該外装面材に併設された下地面材との間に通気層が形成された二重壁に対して貫設された二重壁貫通孔の防水構造に関するものである。
【０００２】
【従来の技術】
併設された外装壁（外装面材）と内壁（下地面材）との間に通気層が形成される二重壁に対して、例えば換気扇を設置するため設置孔のように、屋内から屋外まで貫通される貫通孔を設ける場合には、外装壁と内壁との貫通孔周辺部に防水処理を施す必要がある。
【０００３】
そのため、一般的に貫通孔を設ける場合には、まず内壁に貫通孔を開けた後に内壁の貫通孔周辺部に防水処理を施し、防水処理が完了した後に通気層を確保した上で外装壁を設置する方法が用いられている（例えば、特許文献１参照）。
【０００４】
【特許文献１】
特開平８−１５１８５５号公報
【０００５】
【発明が解決しようとする課題】
しかしながら、プレハブ工法やユニット工法により建設される住宅においては、内壁と外装壁とが予め工場で一体に形成されて出荷されるので、内壁に対して貫通孔を形成した後に防水処理を施し、その後に外装材を取り付けるという作業を行うことは作業効率の低下を招くという問題がある。また貫通孔が設けられる壁材に対してのみ上述の作業工程を個別に実施することは事実上困難であった。さらに、既築の二重壁住宅においては、内壁に貫通孔を形成した後に防水処理を施してから外装材を取り付けるという作業を行うことが困難であるという問題が生じている。
【０００６】
本発明には上記の課題に鑑みてなされたものであり、外装面材と下地面材とが一体に形成された二重壁に対して貫通孔を形成して十分な防水処理を施すことが可能な二重壁貫通孔の防水構造を提供することを課題とする。
【０００７】
【課題を解決するための手段】
上記課題を解決するために、請求項１に係る発明は、外装面材と該外装面材に併設される下地面材との間に通気層が形成された二重壁に対して貫通孔を形成し、該貫通孔の内周面に、前記外装面材の木口と前記下地面材の木口とに接着された防水テープを内周に沿って貼り廻らせることを特徴とする二重壁貫通孔の防水構造である。
【０００８】
請求項２に係る発明は、請求項１に記載の二重壁貫通孔の防水構造において、前記防水テープの接着面側に、前記通気層に嵌入される弾性防水部材が設けられることを特徴とする。
【０００９】
請求項３に係る発明は、請求項２に記載の二重壁用貫通孔の防水構造において、前記弾性防水部材は、前記防水テープが前記内周面に沿って貼り廻らされたときに、前記通気層を臨む全ての前記接着面に設けられていることを特徴とする。
【００１０】
請求項４に係る発明は、請求項２または請求項３に記載の二重壁貫通孔の防水構造において、前記弾性防水部材の前記通気層を臨む面に対して、滴水を下方に導くための導通溝が形成されていることを特徴とする。
【００１１】
【発明の実施の形態】
以下、本発明に係る防水構造を、図面を用いて説明する。
【００１２】
図１は本発明に係る防水構造を備える二重壁１の貫通孔２を示した概略断面図である。貫通孔２は、内壁３と外装面材（外装壁）４とを貫通するようにして形成されている。内壁３は、室内側に設けられた内壁材５と、室外側に設けられた下地面材６と、内壁材５と下地面材６との間に設けられた断熱材７とを有している。外装面材４は、下地面材６に併設されており、外装面材４と下地面材６との間には空気の層により構成される通気層８が設けられている。
【００１３】
貫通孔２の外装面材４と下地面材６との間には、後述する防水部材１０が設けられており、防水部材１０の設置された貫通孔２には、貫通部品１１が挿通されている。貫通部品１１の屋外側端部には外装面材４に係止されるフランジ部１１ａが形成されており、このフランジ部１１ａと外装面材４との当接部には、貫通部品１１と貫通孔２との境界より雨水が入り込まないように封水部材１２による封水処理が施されている。
【００１４】
図２は、防水部材１０を示した斜視図である。防水部材１０は、長方形の防水テープ１４と、防水テープ１４の接着面１４ａ側に設置される弾性防水部材１５とにより構成されている。防水テープ１４は、貫通孔２における外装面材４の木口４ａから下地面材６の木口６ａまでの長さＬ１とほぼ同等のテープ幅を有している。
【００１５】
弾性防水部材１５は、発泡材料により構成されている。弾性防水部材１５は、防水テープ１４の幅方向略中央に設置されており、防水テープ１４の長手方向に、貫通孔２の円周長と同じ長だけ延設されている。また、弾性防水部材１５は、通気層８の幅Ｌ２と同一の幅Ｌ２を有している。さらに、弾性防水部材１５の上面にはＶ字状の溝１６が長手方向に延設されている。
【００１６】
以下、通気層８が形成された二重壁１に対して貫設された貫通孔２を、防水部材１０を用いて防水する処理を説明する。
【００１７】
まず、内壁３と外装面材４とを貫通する貫通孔２を設ける。次に、図３に示すように、外装面材４と下地面材６との間に形成される通気層８に対して、弾性防水部材１５を嵌入させるとともに、防水シート１４の粘着面１４ａを外装面材４の木口４ａ断面と、下地面材６の木口６ａ断面とに接着させる。このようにして防水部材１０を貫通孔２の内周面に内周に沿って一周貼り廻らせることにより、貫通孔２に形成されていた通気層８部分を封水することが可能となる。また、貫通孔２の内周面に設置された防水部材１０の弾性防水部材１５には、Ｖ字状の溝１６が形成されているので、通気層８において上方より滴水が落ちてきても、弾性防水部材１５と外装面材４との境界または弾性防水部材１５と下地面材６との境界から滴雨が貫通孔２には入り込むことを防止することが可能となる。
【００１８】
以上説明したように、貫通孔２内面側より弾性防水部材１５を通気層８に嵌入させるとともに、外装面材４の木口４ａと下地面材６の木口６ａとに防止テープ１４を掛け渡すようにして接着させることによって、外装面材４と下地面材６とが一体に形成された二重壁１に形成された貫通孔２に対して、容易かつ迅速に防水処理を施すことが可能となる。
【００１９】
なお、上述した防水部材１０は、図２に示したものに限定されるものではない。例えば、弾性防水部材１５を設けずに、外装面材４の木口４ａと下地面材６の木口６ａとに防水テープ１４を掛け渡すように接着させた場合であっても、一般的な滴水に対して十分な防水効果を発揮することができるので、防水テープ１４だけで防水処理を行っても良い。
【００２０】
また、防水部材１０に弾性防水部材１５を設置する場合であっても、弾性防水部材１５は、図２に示すような高さＨが均一なものに限定されるものではなく、高さＨが不均一なものであっても、幅がＬ２であり、長さが貫通孔２の周方向の長さに等しいものであれば同様の効果を奏することが可能である。さらに、本発明に係る二重壁貫通孔の防水処理は、貫通孔２の孔形状が円形のものには限定されず、孔の形状が多角形のであっても。同様の効果を奏することが可能である。また、弾性防水部材１５に形成されるＶ字状の溝１６もＶ字形状のものには限定されず、落ちてきた滴水を下方に導くことが可能な形状であれば、Ｕ字形状であっても、凹字形状であっても良い。
【００２１】
【発明の効果】
以上説明したように、本発明に係る二重壁貫通孔の防水構造により、外壁外装面材と該外装面材に併設される下地面材との間に通気層が形成された壁部が一体に形成された二重壁に貫通孔を形成し、該貫通孔に簡易且つ迅速に防水処理を施すことが可能となる。
【図面の簡単な説明】
【図１】本発明に係る防水構造が施された二重壁及び貫通孔を示した断面図である。
【図２】本発明に係る防水構造に使用される防水部材を示した斜視図である。
【図３】図２に示した防水部材を二重壁の貫通穴に設置作業を示した図である。
【符号の説明】
１  二重壁
２  貫通孔
３  内壁
４  外装面材
４ａ  外装面材の木口
５  内壁材
６  下地面材
６ａ  下地面材の木口
７  断熱材
８  通気層
１０  防水部材
１１  貫通部品
１２  封水部材
１４  防水テープ
１５  弾性防水部材
１６  溝
【図１】
2004339833.tif 000003
【図２】
2004339833.tif 000004
【図３】
2004339833.tif 000005